(57)【要約】      （修正有）【課題】少ない工程で施工コストを軽減するとともに、地盤中に打ち込んだ際、上下方向及び左右方向における安定性を向上させることができる建築用杭を提供する。【解決手段】建築用杭１は、一端３に開口部４を、他端５に打込部６を備えた中空状の本体部２と、本体部２の周囲に螺旋部７を形成した建築用杭であって、本体部２に貫通孔９を穿孔させたことを特徴とする。また建築用杭１は、本体部２内に充填されるコンクリートを備える。さらに建築用杭１は、貫通孔９から排出されるコンクリートにより形成される突出部を備える。【選択図】図１
0003203179.tif 000002
【実用新案登録請求の範囲】
【請求項１】
一端に開口部を、他端に打込部を備えた中空状の本体部と、本体部の周囲に螺旋部を形成した建築用杭であって、前記本体部に貫通孔を穿孔させたことを特徴とする建築用杭。
【請求項２】
前記貫通孔は、本体部に複数穿孔されている請求項１記載の建築用杭。
【請求項３】
前記建築用杭は、本体部内に充填されるコンクリートを備える請求項１または２記載の建築用杭。
【請求項４】
前記建築用杭は、貫通孔から排出されるコンクリートにより形成される突出部を備える請求項１乃至３記載の建築用杭。
【考案の詳細な説明】
【技術分野】
【０００１】  本考案は、地盤中に打ち込んだ際、上下方向及び左右方向における安定性を向上させることができる建築用杭に関する。
【背景技術】
【０００２】  一般的に建築物を建設する際、その重量を地盤中で分散し支えるために基礎杭が打ちこまれる。前記基礎杭としては、地中を掘削して形成した掘削孔にコンクリートを流し込んで造成する場所杭、地中に掘削した掘削孔にコンクリート杭を挿入して造成する既成杭等が公知とされている。【０００３】  また建築用杭の先行技術として、現場の土の状態に影響されることなく品質の安定した地盤補強用のコンクリート系杭を簡易に構築することができ、かつ構築されたコンクリート系杭の杭周面抵抗力が大きい節付き現場打ちテーパ形コンクリート系杭およびその構築方法・構築用鋼管がある（例えば特許文献１参照）。
上掲特許文献１記載のテーパ形コンクリート系杭は、モルタルまたはコンクリートまたはセメントミルクにより現場で構築される杭であって、下側が狭まる円すい台形の杭本体と、この杭本体の下部のみの外周に突出して設けられた螺旋状の節とを有し、この螺旋状の節の外径が前記杭本体の上端の外径よりも小さいことを特徴とする。【０００４】  また構築方法は、地盤に杭構築用鋼管を回転させながら進入させ、この杭構築用鋼管を引き抜くときに内部にコンクリートまたはモルタルまたはセメントミルクを流し込む杭の構築方法であって、前記杭構築用鋼管として、下側が狭まる円すい台形の鋼管と、この鋼管の下端部に設けられた掘削刃とを有し、この掘削刃の鋼管中心から先端までの距離が前記鋼管の上端の半径よりも短い杭構築用鋼管を用いることにより、下側が狭まる円すい台形の杭本体と、この杭本体の下部の外周に突出する螺旋状の節とを有し、この螺旋状の節の外径が前記杭本体の上端の外径よりも小さい杭を構築することを特徴とする。【０００５】  また構築用鋼管は、下側が狭まる円すい台形の鋼管と、この交換の下端部に設けられた掘削刃とを有し、この掘削刃の鋼管中心から先端までの距離が前記鋼管の上端の半径よりも短いことを特徴とする。
【先行技術文献】
【特許文献】
【０００６】
【特許文献１】特開２０１４−１３４０００号公報（特許請求の範囲等）
【考案の概要】
【考案が解決しようとする課題】
【０００７】  上掲特許文献１は、現場の土の状態に影響されることなく品質の安定した地盤補強用のコンクリート系杭を簡易に構築することができ、かつ構築されたコンクリート系杭の杭周面抵抗力が大きいことを特徴としている。しかし、構築用鋼管を地盤に進入させる工程、モルタルを充填する工程、構築用鋼管を地盤から引き抜く工程等を必要とするため、構築工程が多くコストアップに繋がるという問題が生じた。また、地盤中に打ち込まれたコックリート系杭は、上下方向における安定性は得られるものの、左右方向の揺れによる安定性は低いという欠点があった。【０００８】  そこで本考案は上記の点に鑑み、少ない工程で施工コストを軽減するとともに、地盤中に打ち込んだ際、上下方向及び左右方向における安定性を向上させることができる建築用杭を提供することにある。
【課題を解決するための手段】
【０００９】  上記課題を解決するために、本考案の建築用杭は、一端に開口部を、他端に打込部を備えた中空状の本体部と、本体部の周囲に螺旋部を形成した建築用杭であって、前記本体部に貫通孔を穿孔させたことを特徴とする。【００１０】  また、前記貫通孔は本体部に複数穿孔されている。【００１１】  また建築用杭は、本体部内に充填されるコンクリートを備える。【００１２】  また建築用杭は、貫通孔から排出されるコンクリートにより形成される突出部を備える。
【考案の効果】
【００１３】  一端に開口部を、他端に打込部を備えた中空状の本体部と、本体部の周囲に螺旋部を形成した建築用杭であって、前記本体部に貫通孔を穿孔させたことにより、内部に収容させたコンクリートを外部に突出させることで、地盤中の杭の上下左右の安定性を向上させることができる。
【図面の簡単な説明】
【００１４】
【図１】本考案の建築用杭の正面図である。
【図２】前記建築用杭の断面図である。
【図３】内部にコンクリートを充填させた状態の断面図である。
【図４】コンクリートを貫通孔から突出させた状態の断面図である。
【図５】（ａ）（ｂ）は他の好適例を示す建築用杭の断面図である。
【図６】本考案の建築用杭の使用状態を示す。
【考案を実施するための形態】
【００１５】  本考案の建築用杭は、少ない工程で施工コストを軽減するとともに、地盤中に打ち込んだ際、上下方向及び左右方向における安定性を向上させることができることを特徴とするものである。
以下、本考案における建築用杭の実施の形態を図面に基づいて説明する。
【００１６】  図示する建築用杭１は中空状を呈しており、強靭な鋼製等の金属製にて形成されている。また前記建築用杭１は、一端３に開口部４を、他端５に先尖状の打込部６を備えた中空状の本体部２と、本体部２の周囲に形成された螺旋部７を具備する。さらに前記開口部４の周囲には、基礎や基板等に連結される連結部８が形成されている。
【００１７】  特に、本考案の建築用杭１の本体部２には貫通孔９が穿孔されている。また前記貫通孔９は、本体部２の周囲に複数穿孔されている。
【００１８】  また前記建築用杭１の本体部２内には、図３に示すように、生コンと言われる半液状のコンクリート１０が充填されている。前記コンクリート１０は、前記建築用杭１の開口部４から、充填機等を使用して本体部２の内部に充填される。
【００１９】  本体部２の内部に充填されたコンクリート１０は、図４に示すように、油圧シリンダー２０にて押圧されることにより、本体部２に穿孔されている貫通孔９から外部に排出される。排出されたコンクリートは、しばらくすると固化されて強靭な突出部１１が形成される。
【００２０】  また他の好適例として、図５の（ａ）に示すように、コンクリート１０は、本体部２に穿孔された貫通孔９より充填することができる。また図５の（ｂ）に示すように、打込部６を本体部２の内部方向に窪んだ状態に形成してもよい。
【００２１】  次に、本考案の建築用杭１の使用方法を図３、図４及び図６に基づいて説明する。
先ず建築用杭１を、重機を使用して地盤内に回転・圧入する。次に図３に示すように、建築用杭１の開口部４より充填機にて、本体部２の内部にコンクリート１０を充填する。
【００２２】  次に図４に示すように、油圧シリンダー２０にて本体部２の内部に充填されたコンクリート１０を押圧する。すると、本体部２の内部のコンクリート１０は、複数の貫通孔９から外周方向へ排出されて突出部１１が形成される。
【００２３】  本体部２の内部から排出された突出部１１は、しばらく放置すると固化され強固な突出部１１となる。そのことにより、図６に示すように、地盤Ａ内に打ち込まれた建築用杭１は、上下方向への安定性が向上するとともに、左右方向の揺れにおける安定性も高めることができる。
【００２４】  なお、本考案の建築用杭１における貫通孔９の径の大きさや穿孔する箇所、または穿孔する数量は特に限定されるものではなく、地盤の強弱や建築物の大きさにより適宜調整することが可能である。
【００２５】  さらに本考案の建築用杭１は、螺旋部７を形成していることにより、回転・圧入にて杭を打ち込むことができる。そのため無騒音、無振動工法が実現でき、公害防止に役立つことができる。
【符号の説明】
【００２６】１    建築用杭
２    本体部
３    一端
４    開口部
５    他端
６    打込部
７    螺旋部
８    連結部
９    貫通孔
１０  コンクリート
１１  突出部
２０  油圧シリンダー
Ａ    地盤
【図１】
0003203179.tif 000003
【図２】
0003203179.tif 000004
【図３】
0003203179.tif 000005
【図４】
0003203179.tif 000006
【図５】
0003203179.tif 000007
【図６】
0003203179.tif 000008